(57)【要約】【課題】吊りボルトの固定位置により吊り金具設置面から当該吊りボルトの固定位置までの距離が変動することに伴う吊り金具への負荷の変化に対して、板金を厚くすることなく、吊り金具の強度を向上させる。【解決手段】吊りボルト１２を通す長穴１１ｃと、この長穴１１ｃに吊りボルト１２を側方から導入するガイドスリット１１ｄとを有し、空気調和機本体２の吊り金具設置面１０に固定された吊り金具１１を備え、長穴１１ｃは、吊りボルト１２の固定位置により吊り金具設置面１０から当該吊りボルト１２の固定位置までの距離が変動する形状を有し、ガイドスリット１１ｄは、長穴１１ｃの吊り金具設置面１０からの距離が遠い側の端部に吊りボルト１２が固定された時、この吊りボルト１２を吊り金具１１に固定する吊り金具固定手段のエリア内に当該ガイドスリット１１ｄの両側エッジの一部が掛かるように構成する。【選択図】図２
2013224771.tif 000002
【特許請求の範囲】
【請求項１】
天井から吊り下げられた吊りボルトを通す長穴と、この長穴に前記吊りボルトを側方から導入するガイドスリットとを有し、空気調和機本体の吊り金具設置面に固定された吊り金具を備え、
前記長穴は、前記吊りボルトの固定位置により前記吊り金具設置面から当該吊りボルトの固定位置までの距離が変動する形状を有し、
前記ガイドスリットは、前記長穴の前記吊り金具設置面からの距離が遠い側の端部に前記吊りボルトが固定された時、該吊りボルトを前記吊り金具に固定する吊り金具固定手段のエリア内に当該ガイドスリットの両側エッジの一部が掛かるように形成されていることを特徴とする天井吊り下げ型空気調和機の取付装置。
【請求項２】
前記長穴は、前記吊り金具設置面からの距離が近い側の端部に前記吊りボルトが固定された時、前記吊り金具固定手段のエリア内から前記ガイドスリットの両側エッジの一方が外れる位置まで延出して設けられていることを特徴とする請求項１記載の天井吊り下げ型空気調和機の取付装置。
【請求項３】
前記ガイドスリットを挟む両側片のうち、前記吊り金具設置面からの距離が遠い側の側片に、曲げやリブによる補強部を設けたことを特徴とする請求項１又は請求項２記載の天井吊り下げ型空気調和機の取付装置。
【発明の詳細な説明】
【技術分野】
【０００１】
本発明は、天井吊り下げ型空気調和機の取付装置に関するものである。
【背景技術】
【０００２】
天井吊り下げ型空気調和機の取付装置は、天井から吊り下げられた４本の吊りボルトに、空気調和機本体の側面の４箇所に固定された吊り金具をそれぞれ吊り金具固定手段、例えば上下１組のワッシャーおよびナットで挟み、締め付け固定するようになっている。このため、吊りボルトとの接続の役割を果す吊り金具には、施工作業性が良好であること、及び天井吊り下げ型空気調和機を支えるのに充分な強度を有すること、が求められる。
【０００３】
ここで述べた充分な強度とは、天井吊り下げ型空気調和機の自重による垂直方向の荷重に限らず、強い地震により発生する自重をはるかに超えた荷重に対して、充足したもので無ければならない。
【０００４】
吊り金具は、一般に、吊りボルトの位置に合せて微調整できるように設けられた長穴と、この長穴に吊りボルトを側方から導入するガイドスリットとを有し、ガイドスリットが長穴の長手中間部にＴ字状に突き当たるように形成されている。また、吊り金具には、吊りボルトの長穴に対する側方からの導入方向、つまりガイドスリットの延長方向と、吊り金具が固定される吊り金具設置面（空気調和機本体の側面）とが成す角度が、垂直となっているもの（以下、吊り金具形状Ａという）がある（例えば、特許文献１参照）。また、吊り金具には、ガイドスリットの延長方向と、吊り金具設置面（空気調和機本体の側面）とが成す角度が、垂直となっていないもの（以下、吊り金具形状Ｂという）もある。そして、この吊り金具形状Ｂの吊り金具のように、ガイドスリットの延長方向（吊りボルトの長穴に対する導入方向）を吊り金具設置面に対し斜めにすることで、天井吊り下げ型空気調和機への４つの吊りボルト取り付け作業が、２方向からのみで対応できるようになり、施工作業性が向上する。
【先行技術文献】
【特許文献】
【０００５】
【特許文献１】特開平０７−０１９５９２号公報（図４）
【発明の概要】
【発明が解決しようとする課題】
【０００６】
前述の吊り金具形状Ｂの吊り金具のように吊り金具設置面に対し吊りボルト導入方向を斜めにすることで、４つの吊りボルト取り付け作業が、２方向からのみで対応できるようになり、施工作業性は向上する。ところが、ガイドスリットが長穴の長手中間部にＴ字状に突き当たるように形成された吊り金具形状Ｂの吊り金具においては、吊り金具設置面に対し長穴の長手方向も斜めになるため、吊りボルトが長穴の長手方向のどの位置に在るかによって、吊り金具設置面と吊りボルトとの距離が変化する。
【０００７】
吊り金具は、板金を曲げる方向となる吊りボルトと同軸方向（地面に対し垂直方向）に掛かる力に対して一番弱くなる。そして、吊りボルトから吊り金具へ力が加えられた際に、吊り金具に掛かるモーメント荷重は、吊りボルトから吊り金具設置面までの距離によって変動する。
【０００８】
したがって、吊り金具形状Ｂの吊り金具においては、吊りボルトの位置により変化する負荷の最大値に対し充足した強度を得る必要があり、吊り金具形状Ａの吊り金具の場合よりも強度が求められるため、板金を厚くするなどの対応が必要であった。
【０００９】
本発明は、前記のような課題を解決するためになされたもので、吊りボルトの固定位置により吊り金具設置面から当該吊りボルトの固定位置までの距離が変動することに伴う吊り金具への負荷の変化に対して、板金を厚くすることなく、吊り金具の強度を向上させることができる天井吊り下げ型空気調和機の取付装置を提供することを目的としている。
【課題を解決するための手段】
【００１０】
本発明に係る天井吊り下げ型空気調和機の取付装置は、天井から吊り下げられた吊りボルトを通す長穴と、この長穴に吊りボルトを側方から導入するガイドスリットとを有し、空気調和機本体の吊り金具設置面に固定された吊り金具を備え、長穴は、吊りボルトの固定位置により吊り金具設置面から当該吊りボルトの固定位置までの距離が変動する形状を有し、ガイドスリットは、長穴の吊り金具設置面からの距離が遠い側の端部に吊りボルトが固定された時、この吊りボルトを吊り金具に固定する吊り金具固定手段のエリア内に当該ガイドスリットの両側エッジの一部が掛かるように形成されているものである。
【発明の効果】
【００１１】
本発明によれば、長穴は、吊りボルトの固定位置により吊り金具設置面から当該吊りボルトの固定位置までの距離が変動する形状を有し、ガイドスリットは、長穴の吊り金具設置面からの距離が遠い側の端部に吊りボルトが固定された時、この吊りボルトを吊り金具に固定する吊り金具固定手段のエリア内に当該ガイドスリットの両側エッジの一部が掛かるように形成されているので、荷重が最大となる部位にて、局所的に吊り金具の強度を向上させることができ、吊り金具の変形を抑制することができる。
【図面の簡単な説明】
【００１２】
【図１】本発明の実施形態１に係る井吊り下げ型空気調和機の取付状態を説明するための側面視の断面図である。
【図２】本発明の実施形態１に係る天井吊り下げ型空気調和機の取付装置を示す斜視図である。
【図３】本発明の実施形態１に係る天井吊り下げ型空気調和機の取付装置の吊り金具とワッシャーとの位置関係を示す模式図である。
【図４】本発明の実施形態２に係る天井吊り下げ型空気調和機の取付装置の吊り金具とワッシャーとの位置関係を示す模式図である。
【発明を実施するための形態】
【００１３】
以下、本発明の実施形態を図面に基づいて説明する。
【００１４】
実施形態１．
先ず、本実施形態に係る吊り下げ型空気調和機の定義を説明する。本実施形態に係る吊り下げ型空気調和機は、室内空気を空気調和するために室内空気と冷媒との間で熱交換する熱交換器と、熱交換器へ室内の空気を送る送風機とを有し、天井から吊り下げられた吊りボルトに空気調和機本体を締結し、空気調和機本体を吊り下げた状態に取り付けた空気調和機である。具体的には、本実施形態の例として挙げる化粧パネルを有し、化粧パネルが室内空間に露出した天井埋込型空気調和機や、その他に室内空間に空気調和機本体が露出した天吊型空気調和機のタイプがあり、本実施形態に係る吊り下げ型空気調和機は、前記の天井埋込型および天吊型の空気調和機を含むものである。ここでは、天井埋込型空気調和機を例に挙げ、以下の説明を行う。但し、天井埋込型空気調和機はあくまでも一例であり、これに限定されるものではない。
【００１５】
図１は本発明の実施形態１に係る天井吊り下げ型空気調和機１００の取付状態を示す断面図である。なお、以下の説明では、天井吊り下げ型空気調和機１００を単に「空気調和機１００」と記述するものとする。
図１に示すように、空気調和機１００は、室内空間１の空気調和を行う本体２を備え、この本体２内には、室内送風機３と、室内空気と冷媒との間で熱交換を行う室内機熱交換機４とを収容している。また、本体２の下方には、吸込グリル５ａと、４辺の各辺に平行に配置された吹出口５ｂとを有する化粧パネル５が本体２に取り付けられている。また、本体２の側面には、４箇所に吊り金具設置面１０が設けられており、これら吊り金具設置面１０にそれぞれ吊り金具形状Ｂの吊り金具１１が固定されている。
一方、天井６からは４本の吊りボルト１２が吊り下げられており、吊り金具１１は吊りボルト１２に任意の位置で締結されている。
【００１６】
図２は本発明の実施形態１に係る天井吊り下げ型空気調和機の取付装置を示す斜視図であり、吊り金具形状Ｂの吊り金具１１を吊りボルト１２に締結する前の状態を示すものである。
図２に示すように、吊りボルト１２には、あらかじめ吊り金具固定手段、例えば上側のナット１３ａおよび上側のワッシャー１４ａと、下側のワッシャー１４ｂおよび下側のナット１３ｂとが装着されている。また、下側のワッシャー１４ｂおよび下側のナット１３ｂとは、所望の高さにて吊りボルト１２にセットされている。
【００１７】
吊り金具１１は、逆Ｌ字状に曲げられた垂直部１１ａと水平部１１ｂとを有し、垂直部１１ａをボルトにより本体２の側面に固定し、水平部１１ｂに、吊りボルト１２を通す長穴１１ｃと、長穴１１ｃの一端部に直交して吊りボルト１２を側方から導入するガイドスリット１１ｄとを有している。
【００１８】
これを更に詳述すると、吊り金具形状Ｂの吊り金具１１は、既述したようにガイドスリット１１ｄの延長方向と吊り金具設置面１０とが成す角度が、垂直となっていないものであるが、従来とはガイドスリット１１ｄが長穴１１ｃの吊り金具設置面１０からの距離が遠い側の端部にＬ字状に突き当たるように形成されている点が異なっている。
【００１９】
また、水平部１１ｂの先端部には、下側のワッシャー１４ｂを係止するための下向きに曲げられたワッシャー係止用爪１１ｅが設けられている。
【００２０】
また、水平部１１ｂのガイドスリット１１ｄを挟む両側片１１ｆ，１１ｇのうち、吊り金具設置面１０からの距離が遠い側の側片１１ｆ側の外辺の基部側（垂直部１１ａと水平部１１ｂとで形成されるコーナー部の近傍）に、曲げやリブによる補強部２０が設けられており、吊りボルト１２から吊り金具１１へ力が加えられた際に、吊り金具１１に掛かるモーメント荷重に対し強固な構造となっている。
【００２１】
本体２の吊り金具１１を吊りボルト１２に取り付ける際は、図２に示すように、上側のナット１３ａと上側のワッシャー１４ａを吊り金具１１の取付の邪魔にならないように上方位置へ配置しておき、次いで吊りボルト１２に側方から吊り金具１１のガイドスリット１１ｄを挿入し、長穴１１ｃ内に吊りボルト１２を通す。その後、長穴１１ｃに沿って本体２の水平位置を調整したのち、吊り金具１１を上下２枚のワッシャー１４ａ，１４ｂで挟み、さらにナット１３ａ，１３ｂで締め付け固定する。こうして本体２は所望の高さで吊りボルト１２に取り付けられる。
【００２２】
図３は本発明の実施形態１に係る天井吊り下げ型空気調和機の取付装置の吊り金具とワッシャーとの位置関係を示す模式図である。
図３に示すように、本発明の実施形態１に係る天井吊り下げ型空気調和機の取付装置は、長穴１１ｃの吊り金具設置面１０からの距離が遠い側の端部（Ｌ字状のコーナー側の端部）に吊りボルト１２が固定された時、ワッシャー１４ａ，１４ｂのエリア内にガイドスリット１１ｄの両側片１１ｆ，１１ｇのエッジ（ガイドスリットの両側エッジ）の一部が掛かるように、ガイドスリット１１ｄの形成位置が設定されている。これにより、吊り金具１１に掛かるモーメント荷重が最大となる部位にて、力を吊り金具１１全体で受けられるようになり、局所的に吊り金具１１の強度を向上させることができて、吊り金具１１の変形を抑制することができる。このため、部材に求められる強度を下げることができ、全体の板金の薄肉化などを図ることが可能となる。
【００２３】
ところで、吊り金具１１を挟み込むワッシャー１４ａ，１４ｂがガイドスリット１１ｄの両側片１１ｆ，１１ｇのエッジ（ガイドスリットの両側エッジ）の一方にしか掛かっていない場合は、吊りボルト１２と同軸方向（地面に対し垂直方向）に掛かる力を吊り金具１１のガイドスリット１１ｄの両側片１１ｆ，１１ｇの片側のみで受け止めることになってしまう。このため、吊り金具１１は強度が弱くなってしまう。
一方、常にガイドスリット１１ｄの両側片１１ｆ，１１ｇのエッジ（ガイドスリットの両側エッジ）にワッシャー１４ａ，１４ｂが掛かるようにするには、吊りボルト１２を通す長穴１１ｃの長さを短くする必要がある。このため、吊りボルトの配置の自由度が下がり、施工作業性が悪化する。
【００２４】
そこで、長穴１１ｃの吊り金具設置面１０からの距離が近い側の端部、つまりモーメント荷重が小さくなる側の端部については、そこに吊りボルト１２が固定された時、ワッシャー１４ａ，１４ｂのエリア内からガイドスリット１１ｄの両側片１１ｆ，１１ｇのエッジ（ガイドスリットの両側エッジ）が掛かる掛からないに関係無く（ここではガイドスリットの両側エッジの一方が外れる位置まで）延出して設けている。これにより、前述の吊り金具１１の局所的な強度向上効果に加え、吊りボルトの配置の自由度を上げることができ、施工作業性を向上させることができる。
【００２５】
実施形態２．
図４は本発明の実施形態２に係る天井吊り下げ型空気調和機の取付装置の吊り金具とワッシャーとの位置関係を示す模式図であり、前述の実施形態１に相当する部分には同一符号を付してある。なお、説明に当たっては前述の図１を参照するものとする。
図４に示すように、本発明の実施形態２に係る天井吊り下げ型空気調和機の取付装置は、長穴１１ｃの吊り金具設置面１０からの距離が遠い側の端部（Ｌ字状のコーナー側の端部）に吊りボルト１２が固定された時、ワッシャー１４ａ，１４ｂのエリア内にガイドスリット１１ｄの両側片１１ｆ，１１ｇのエッジ（ガイドスリットの両側エッジ）の一部が掛かる範囲内で、吊り金具１１のガイドスリット１１ｄの形成位置を、長穴１１ｃの他端側寄りに偏位させたものである。それ以外の構成は前述の実施形態１のものと同様である。
【００２６】
この実施形態２においても、吊り金具１１に掛かるモーメント荷重が最大となる部位にて、力をガイドスリット１１ｄの両側エッジ、つまり吊り金具１１全体で受けるので、局所的に吊り金具１１の強度を向上させることができて、吊り金具１１の変形を抑制することができる。このため、部材に求められる強度を下げることができ、全体の板金の薄肉化などを図ることが可能となる。
【００２７】
また、吊り金具１１のガイドスリット１１ｄの形成位置を、長穴１１ｃの他端側寄りに偏位させた分、ガイドスリット１１ｄのモーメント荷重が大きくなる側の側片１１ｆの幅を大きくできるので、吊り金具１１の強度を更に向上させることができる。
【００２８】
なお、前述の各実施形態では、長穴１１ｃを直線状に形成したものを例に挙げて説明したが、これに限定されるものではなく、例えば円弧状の長穴等の採用も可能である。
【符号の説明】
【００２９】
１  室内空間、２  本体、３  室内送風機、４  室内機熱交換機、５  化粧パネル、５ａ  吸込グリル、５ｂ  吹出口、１０  吊り金具設置面、１１  吊り金具、１１ａ  垂直部、１１ｂ  水平部、１１ｃ  長穴、１１ｄ  ガイドスリット、１１ｅ  ワッシャー係止用爪、１１ｆ，１１ｇ  側片、１２  吊りボルト、６  天井、１３ａ，１３ｂ  ナット（吊り金具固定手段）、１４ａ，１４ｂ  ワッシャー（吊り金具固定手段）、２０  補強部、１００  空気調和機。
【図１】
2013224771.tif 000003
【図２】
2013224771.tif 000004
【図３】
2013224771.tif 000005
【図４】
2013224771.tif 000006